(57)【特許請求の範囲】
【請求項１】
蓋として機能する上面（２１１）と、第二種レバー（２１６）とを少なくとも有する、飲料物質のための容器であって、
前記上面（２１１）は、
周縁部（２１２）と、実質的に円形で、中心軸（Ｙ）に対して同心円状であり、前記周縁部（２１２）に固定してある中心ゾーン（２３６）と、を有し、
前記中心ゾーン（２３６）には、前記物質が通過するのに関連する開口部（２１５）に対して取り除き可能なストッパーとして機能する引き上げ開口式の密封要素（２１４）を区画する脆弱線（２１３）が形成され、
前記密封要素（２１４）は、前記周縁部（２１２）に近接する前方末端部を備え、
前記第二種レバー（２１６）は、
少なくとも一部分が前記密封要素（２１４）に接続し、さらに前記密封要素（２１４）を前記脆弱線（２１３）に沿って少なくとも一部分を前記中心ゾーン（２３６）の残りの部分から取り除けるように動かすことで前記開口部（２１５）が外部と連通するようになっており、
前記脆弱線（２１３）は、前記中心軸（Ｙ）に対して前記第二種レバー（２１６）と反対にある前記密封要素（２１４）の一端で中断され、前記密封要素（２１４）は、前記中心ゾーン（２３６）の残りの部分に固定された端を有する容器において、
前記第二種レバー（２１６）は、
前記脆弱線（２１３）によって区画される前記密封要素（２１４）の外側、かつ、前記前方末端部の前であって、前記周縁部（２１２）に対応して配置される特徴的な支点として機能可能であり、前記特徴的な支点は、通常の使用において、前記密封要素（２１４）を引っ張り上げるのを確実にするために、前記周縁部（２１２）と直接的に協働できる第一端部（２３４）と、
前記第一端部（２３４）の反対側にあり、把持、引き上げもしくは引っ張り要素として機能可能である第二端部（２３２）と、
前記第一端部（２３４）および前記第二端部（２３２）の間の中間ゾーン（２３９）であって、前記第二種レバー（２１６）が前記密封要素（２１４）に接続され、前記密封要素（２１４）の前方末端部に機械的に接続された柔軟な舌状体（２５１）を備え、前記柔軟な舌状体（２５１）は引っ張り棒として機能し、曲がることが可能であり、前記密封要素（２１４）の前方末端部に対して、上方に引っ張る力をかけることが可能である中間ゾーン（２３９）と、を有することを特徴とする容器。
【請求項２】
前記中心ゾーン（２３６）は、確定半径（Ａ）を有し、
前記レバー（２１６）は、前記半径（Ａ）と実質的に平行であり、前記第一端部（２３４）および前記第二端部（２３２）の間の距離は、前記半径（Ａ）の長さよりも短いことを特徴とする請求項１に記載の容器。
【請求項３】
前記第二端部（２３２）は、前記中心軸（Ｙ）の近くに配置されていることを特徴とする請求項２に記載の容器。
【請求項４】
前記脆弱線（２１３）により区画される前記密封要素（２１４）は、実質的に円形の第一部分（２１４ａ）および実質的に長方形であり前記第一部分（２１４ａ）から繋がっている第二部分（２１４ｂ）を有する舌状体を有することを特徴とする請求項２もしくは３に記載の容器。
【請求項５】
前記第二種レバー（２１６）は、前記密封要素（２１４）の前記第一部分（２１４ａ）の上に配置されていることを特徴とする請求項４に記載の容器。
【請求項６】
前記脆弱線（２１３）が、前記中心軸（Ｙ）に対して前記第二種レバー（２１６）の反対側にある前記第二部分（２１４ｂ）の端で中断されて、前記密封要素（２１４）が前記中心ゾーン（２３６）の残りの部分に固定してある縁部を有することを特徴とする請求項４もしくは５に記載の容器。
【請求項７】
前記第二種レバー（２１６）の前記中間ゾーン（２３９）は、前記密封要素（２１４）の前記第一部分（２１４ａ）に機械的接続手段（２５０）により接続されていることを特徴とする請求項４、５および６のいずれかに記載の容器。
【請求項８】
前記機械的接続手段（２５０）がリベットもしくは溶接点であることを特徴とする請求項７に記載の容器。
【請求項９】
前記機械的接続手段（２５０）は前記密封要素（２１４）の前記第一部分（２１４ａ）と前記柔軟な舌状体（２５１）を接続することを特徴とする請求項７もしくは８に記載の容器。
【請求項１０】
前記第二種レバー（２１６）は、前記周縁部（２１２）の外側に向かって回転可能になっていることを特徴とする請求項１から９のいずれかに記載の容器。
【請求項１１】
蓋として機能する上面（２１１）と、第二種レバー（２１６）とを少なくとも有する、飲料物質を保持できる容器のための蓋であって、
前記上面（２１１）は、
周縁部（２１２）と、実質的に円形で、中心軸（Ｙ）に対して同心円状であり、前記周縁部（２１２）に固定してある中心ゾーン（２３６）と、を有し、
前記中心ゾーン（２３６）には、前記物質が通過するのに関連する開口部（２１５）に対して取り除き可能なストッパーとして機能する引き上げ開口式の密封要素（２１４）を区画する脆弱線（２１３）が形成され、
前記密封要素（２１４）は、前記周縁部（２１２）に近接する前方末端部を備え、
前記第二種レバー（２１６）は、
少なくとも一部分が前記密封要素（２１４）に接続し、さらに前記密封要素（２１４）を前記脆弱線（２１３）に沿って少なくとも一部分を前記中心ゾーン（２３６）の残りの部分から取り除けるように動かすことで前記開口部（２１５）が外部と連通するようになっており、
前記脆弱線（２１３）は、前記中心軸（Ｙ）に対して前記第二種レバー（２１６）と反対にある前記密封要素（２１４）の一端で中断され、前記密封要素（２１４）は、前記中心ゾーン（２３６）の残りの部分に固定された端を有する蓋において、
前記第二種レバー（２１６）は、
前記脆弱線（２１３）によって区画される前記密封要素（２１４）の外側、かつ、前記前方末端部の前であって、前記周縁部（２１２）に対応して配置される特徴的な支点として機能可能であり、前記特徴的な支点は、通常の使用において、前記密封要素（２１４）を引っ張り上げるのを確実にするために、前記周縁部（２１２）と直接的に協働できる第一端部（２３４）と、
前記第一端部（２３４）の反対側にあり、把持、引き上げもしくは引っ張り要素として機能可能である第二端部（２３２）と、
前記第一端部（２３４）および前記第二端部（２３２）の間の中間ゾーン（２３９）であって、前記第二種レバー（２１６）が前記密封要素（２１４）に接続され、前記密封要素（２１４）の前方末端部に機械的に接続された柔軟な舌状体（２５１）を備え、前記柔軟な舌状体（２５１）は引っ張り棒として機能し、曲がることが可能であり、前記密封要素（２１４）の前方末端部に対して、上方に引っ張る力をかけることが可能である中間ゾーン（２３９）と、を有することを特徴とする蓋。
【請求項１２】
蓋として機能する上面（２１１）と、第二種レバー（２１６）とを少なくとも有する、飲料物質を保持することができる容器の密封要素（２１４）を開ける方法であって、
前記上面（２１１）は、
周縁部（２１２）と、実質的に円形で、中心軸（Ｙ）に対して同心円状であり、前記周縁部（２１２）に固定してある中心ゾーン（２３６）と、を有し、
前記中心ゾーン（２３６）には、前記物質が通過するのに関連する開口部（２１５）に対して取り除き可能なストッパーとして機能する引き上げ開口式の密封要素（２１４）を区画する脆弱線（２１３）が形成され、
前記密封要素（２１４）は、前記周縁部（２１２）に近接する前方末端部を備え、
前記第二種レバー（２１６）は、
少なくとも一部分が前記密封要素（２１４）に接続し、さらに前記密封要素（２１４）を前記脆弱線（２１３）に沿って少なくとも一部分を前記中心ゾーン（２３６）の残りの部分から取り除けるように動かすことで前記開口部（２１５）が外部と連通するようになっており、
前記脆弱線（２１３）は、前記中心軸（Ｙ）に対して前記第二種レバー（２１６）と反対にある前記密封要素（２１４）の一端で中断され、前記密封要素（２１４）は、前記中心ゾーン（２３６）の残りの部分に固定された端を有する容器において、
前記第二種レバー（２１６）は、
前記脆弱線（２１３）によって区画される前記密封要素（２１４）の外側、かつ、前記前方末端部の前であって、前記周縁部（２１２）に対応して配置される特徴的な支点として機能可能であり、前記特徴的な支点は、通常の使用において、前記密封要素（２１４）を引っ張り上げるのを確実にするために、前記周縁部（２１２）と直接的に協働できる第一端部（２３４）と、
前記第一端部（２３４）の反対側にあり、把持、引き上げもしくは引っ張り要素として機能可能である第二端部（２３２）と、
前記第一端部（２３４）および前記第二端部（２３２）の間の中間ゾーン（２３９）であって、前記第二種レバー（２１６）が前記密封要素（２１４）に接続され、前記密封要素（２１４）に機械的に接続された柔軟な舌状体（２５１）を備える中間ゾーン（２３９）と、を有する容器の密封要素（２１４）を開ける方法において、
前記方法は、
前記柔軟な舌状体（２５１）が前記密封要素（２１４）との機械的な接続を維持するとともに上方に引っ張る力をかけながら曲がるように、しかも、前記第二種レバー（２１６）の前記柔軟な舌状体（２５１）が前記密封要素（２１４）の前方末端部を上方に引っ張り上げ、前記密封要素（２１４）が容器内に入るのを防ぎつつ前記脆弱線（２１３）に沿って上面（２１１）から切り離せるようにするため、前記第二種レバー（２１６）の前記第二端部（２３２）を引き上げ、前記第二端部（２３２）を前記周縁部（２１２）の外側に向かって回転させ、前記第二種レバー（２１６）の前記第一端部（２３４）を中心に回動させ、前記密封要素（２１４）に対して外側に動かす工程と、
前記密封要素（２１４）を引き上げ、さらに前記開口部（２１５）が開くまで前記脆弱線（２１３）に沿って切り離し続けるために、前記第二種レバー（２１６）を後ろに引く工程と、を有する方法。
【請求項１３】
物質、特に飲料のための容器であって、
前記容器は、周縁部（１２、２１２、３１２）および前記周縁部（１２、２１２、３１２）に固定してある中心ゾーン（３６、２３６、３３６）と、前記中心ゾーン（３６、２３６、３３６）に形成されて前記物質が通過するのに関連する開口部（１５、２１５、３１５）に対して取り除き可能なストッパーとして機能する引き上げ開口式の密封要素（１４、２１４、３１４）を区画する脆弱線（１３、２１３、３１３）とを有する蓋として機能する上面（１１、２１１、３１１）と、
少なくとも一部分が前記密封要素（１４、２１４、３１４）に接続し、さらに前記密封要素（１４、２１４、３１４）を前記脆弱線（１３、２１３、３１３）に沿って少なくとも一部分取り除けるように動かして、前記開口部（１５、２１５、３１５）を外部と連通させるレバー（１６、２１６、３１６）と、を少なくとも有する容器において、
前記レバー（１６、２１６、３１６）は、
前記周縁部（１２、２１２、３１２）もしくは前記中心ゾーン（３６、２３６、３３６）に対応して配置され、支点として機能可能である第一端部（３４、２３４、３３４）と、
前記第一端部（３４、２３４、３３４）の反対側にあり、グリッパー要素として機能可能であり、前記中心ゾーン（３６、２３６、３３６）に実質的に対応して配置される第二端部（３２、２３２、３３２）と、
前記第一端部（３４、２３４、３３４）および前記第二端部（３２、２３２、３３２）の間にあり、前記レバー（１６、２１６、３１６）を前記密封要素（１４、２４、３１４）に接続させる中間ゾーン（３９、２３９、３３９）と、を有し、
柔軟なタイプの接続要素（１７）は、前記レバー（２１６）および前記密封要素（１４）の間に置かれ、前記接続要素（１７）は、前記レバー（１６）に付いている第一端部（１８）と、前記上面（１１）に固定してある第二端部（１９）と、を有し、前記接続要素（１７）の前記第一端部（１８）は、前記密封要素（１４）が閉じられた状態において、前記レバー（１６）の前記第一端部（３４）と実質的に近距離に配置され、
前記接続要素（１７）は、第一所定屈曲線（２１、２５）を有し、前記第一所定屈曲線（２１、２５）は、前記接続要素（１７）の前記第一端部（１８）により接続する第一部分（２６）と、前記接続要素（１７）の前記第二端部（１９）により上面（１１）に接続する第二部分（３１）と、前記第一部分（２６）と前記第二部分（３１）の間に配置される第三部分（２９）と、を区画し、
前記接続要素（１７）は、第二所定屈曲線（２２、２３、２４）を有し、前記第二所定屈曲線（２２、２３、２４）は、前記第一部分（２６）に隣接しさらに前記密封要素（１４）に装着してある第四部分（２７）と、前記第四部分（２７）と前記第三部分（２９）の間に配置される第五部分（２８）と、前記第五部分（２８）と前記第二部分（３１）の間に配置される第六部分（３０）と、をそれぞれ区画することを特徴とする容器。
【請求項１４】
前記密封要素が開いた状態において、前記接続要素（１７）は、屈曲状態であることができ、前記接続要素（１７）は、前記上面（１１）の上でさらに前記開口部に隣接して位置し、さらに前記六カ所の部分（２６、２７、２８、２９、３０、および３１）は屈曲し互いに重なりあっていることを特徴とする請求項１３に記載の容器。
【発明の詳細な説明】
【技術分野】
【０００１】
本願発明は、どんな物質も、特に飲料を保持できる、例えば缶などの容器に関する。該容器は、蓋として機能する上面を有し、この蓋は、密封要素を有する。該密封要素は、舌状であり、てこのメカニズムのおかげで完全に外側にけることができ、そのため内部の物質に接触せずに開けられるようになっている。さらに、密封要素が開いている時、該密封要素は、残りのふたの部分に固定されているため、容器の残りの部分と共に簡単に捨てることが出来る。
【背景技術】
【０００２】
容器は、固形食品および飲料などのためであり、側面と、底面と、底面の反対側の上面と、を有し、全てアルミ、スチール、またはそれらの合金から作られている。
【０００３】
蓋として機能する上面には、閉じられた脆弱線があり、これはストッパーとして機能する密封要素の輪郭を示しており、さらに密封要素の開口部に対応している。レバーは、通常、引き上げ用のアイレット（孔）と共に、一方の端部に設けられ、ストッパーと関連しており、残りの蓋の部分からストッパーを切り離すために前記脆弱線に沿って傾斜することができる。そして、ストッパーは、外側に向かって曲げられて完全に取り除かれる。これらの公知の容器の問題は、これらが開けられた時、レバーとストッパーが容器から完全に切り離されて、周囲に散在され、環境を汚染し、さらには偶然これらと接触した人に怪我を負わせてしまうということがあった。
【０００４】
これらの問題を解決する公知の飲料用の容器は、それ自体で閉じられていない脆弱線を有している。この場合、ストッパーを開けるためには、レバーを動かすことにより脆弱線に沿ってストッパーを曲げ、対応する開口部を通って、容器の内側に動かす。しかしながら、このようにすると、外部からの汚染から守られていないストッパーの外側部分が、容器の中の物質と直接接触し、この物質を摂取する人の健康に深刻な危険を及ぼすため、滅菌して容器に物質を満たして密封した安全対策を無駄なものにしてしまう。
【０００５】
容器内の物質に対して汚染物質となり得るものを除去する必要性は、世界レベルの新しい衛生規則の課題である。この新しい衛生規則は、容器内の物質と接触することが出来る汚染された可能性のあるストッパーを有する容器を製造および販売することを明確に禁止している。
【０００６】
これらの規則を満足し、さらにストッパーが環境に散在されるのを防ぐために、ハイジェニックストッパーと呼ばれる容器が作られていることが知られている。このハイジェニックストッパーは、容器の外側に向かって開けられ、さらに開いている状態では容器に接続したままになっている。
【０００７】
公知の容器の一例として、閉じられた脆弱線と、一端が上面に付けられ、さらにストッパーおよびレバーにも付けられた柔軟なタイプの鉄性の舌状体と、を有するものがある。
【０００８】
関連するレバーを時計回りに回すことで、ストッパーが切れ、容器の外側に折れるが、柔軟な舌状体のおかげで、容器に固定されたままである。この公知の容器の問題点は、これの製造と処理の方法に起因して、持ち上げる動作によってストッパーを切って取り除くため、他の公知の容器よりも全体として労力を要する問題点があり、あまり実用的ではなかった。
【０００９】
本願発明の目的は、容器内の飲料の衛生状態を良好に保つように、ストッパーを開口部に沿って取り除くことを可能にする飲料用容器を達成することである。すなわち、この飲料用容器は、衛生的なストッパーを有し、環境中に散在されないように、該ストッパーは容器に固定されたままであり、さらに実用的であって、ストッパーを取り除くのに大きな労力を要さないものである。
【００１０】
本出願人は、現在の技術の欠点を解決するために本願発明を鋭意検討し、公知の技術の問題を解決し、本願発明の目的を達成し、利点を得た。
【発明の概要】
【００１１】
本願発明は、独立請求項に記載、特徴付けられ、また従属項には、本願発明のその他の特徴もしくは主な概念の変形例が記載されている。
【００１２】
上述の目的による、本願発明に係る物質、特に飲料用の容器は、少なくとも蓋として機能する上面を有し、この上面は、周縁部と周縁部に固定されている中心ゾーンとを有し、この中心ゾーンに脆弱線が形成され、該脆弱線が引っ張り開ける密封要素を区画し、この密封要素が、前記物質の通路として関連する開口部のための除去可能なストッパーとして機能する。該容器は、前記密封要素に少なくとも一カ所が接続し、前記脆弱線に沿って前記中心ゾーンの残りの部分から前記密封要素の少なくとも一部を取り除けるように動かして、前記開口部と外をつなげるレバーも有している。
【００１３】
本願発明の特徴によれば、前記レバーは、支点として機能可能な第一端部と、第一端部の反対側にあり、前記中心ゾーンに実質的に対応して処理され、グリッパー要素として機能可能な第二端部と、前記第一端部と前記第二端部の間にあり、前記レバーが前記密封要素と接続されていることにより存在する中間ゾーンと、を有する。
【００１４】
該レバーの前記第一端部は、支点として機能可能であり、有利には前記周縁部もしくは前記中心ゾーンと対応して処理できる。いずれにしても、このレバーは、第二種レバーであり、すなわち抵抗力が付加されるポイント（密封要素への接続）が、支点（レバーの第一端部）および引っ張る力が付加されるポイント（レバーの第二端部）との間にあるため、常に有用である。
【００１５】
有利には、前記密封要素を開ける方法としては、以下の工程を有する：
−前記レバーの前記第二端部を前記第一端部に対して回動させて、前記レバーの前記中間ゾーンが、前記密封要素を前記中心ゾーンの残りの部分から前記脆弱線に沿って切り離す工程と、
−前記レバーの前記第二端部を後ろ向きに引っ張り、前記密封要素を引っ張り上げて前記開口部が前記脆弱線に沿って開けられるまで切り離し続ける工程とを有する。
【００１６】
このようにすることで、本出願人は、前述の容器のストッパーを開くという目的を簡単に且つ大した労力を使わずに、二工程だけで達成し、前記ストッパーのいかなる部分も容器内の物質と接触せず、さらに前記ストッパーを容器の残りの部分に常に付いたままにすることを達成している。
【００１７】
さらには、前記容器の衛生特性をさらに良くするために、蓋の少なくとも一部を覆う衛生フィルムが提供され、この衛生フィルムは、密封要素と共に取り除くことができ、もしくは、該密封要素を動かすレバーに触れる前に取り除くことができる。
【図面の簡単な説明】
【００１８】
本願発明のこれらおよびその他の特徴は、以下に記載する好ましい実施形態により明かになり、さらに本願発明は、添付の図面に限定されるものではない。
【図１】図１は、本願発明の第１実施形態に係る容器の一部の断面図である；
【図２】図２は、閉じた状態の図１に記載の容器の平面図である；
【図３】図３は、開いた状態の図１に記載の容器の平面図である；
【図４】図４は、図１に記載の容器の一部の模式断面図であり、これは、図４から図１５にかけて該容器の開閉の工程を順番に表している；
【図５】図５は、図１に記載の容器の一部の模式断面図であり、これは、図４から図１５にかけて該容器の開閉の工程を順番に表している；
【図６】図６は、図１に記載の容器の一部の模式断面図であり、これは、図４から図１５にかけて該容器の開閉の工程を順番に表している；
【図７】図７は、図１に記載の容器の一部の模式断面図であり、これは、図４から図１５にかけて該容器の開閉の工程を順番に表している；
【図８】図８は、図１に記載の容器の一部の模式断面図であり、これは、図４から図１５にかけて該容器の開閉の工程を順番に表している；
【図９】図９は、図１に記載の容器の一部の模式断面図であり、これは、図４から図１５にかけて該容器の開閉の工程を順番に表している；
【図１０】図１０は、図１に記載の容器の一部の模式断面図であり、これは、図４から図１５にかけて該容器の開閉の工程を順番に表している；
【図１１】図１１は、図１に記載の容器の一部の模式断面図であり、これは、図４から図１５にかけて該容器の開閉の工程を順番に表している；
【図１２】図１２は、図１に記載の容器の一部の模式断面図であり、これは、図４から図１５にかけて該容器の開閉の工程を順番に表している；
【図１３】図１３は、図１に記載の容器の一部の模式断面図であり、これは、図４から図１５にかけて該容器の開閉の工程を順番に表している；
【図１４】図１４は、図１に記載の容器の一部の模式断面図であり、これは、図４から図１５にかけて該容器の開閉の工程を順番に表している；
【図１５】図１５は、図１に記載の容器の一部の模式断面図であり、これは、図４から図１５にかけて該容器の開閉の工程を順番に表している；
【図１６】図１６は、閉じられた状態の図１に記載の容器の変形例の平面図である；
【図１７】図１７は、図１６に記載の容器の断面図である；
【図１８】図１８は、閉じた状態の本願発明の第２実施形態に係る容器の蓋の平面図である；
【図１９】図１９は、図１８のＸＩＸからＸＩＸでの断面図である；
【図２０】図２０は、部分的に開いた状態の図１８に記載の蓋の平面図である；
【図２１】図２１は、図２０のＸＸＩからＸＸＩでの断面図である；
【図２２】図２２は、完全に開いた状態の図１８に記載の蓋の平面図である；
【図２３】図２３は、図２２のＸＸＩＩＩからＸＸＩＩＩでの断面図である；
【図２４】図２４は、図１８の容器を詳細にした平面図である；
【図２５】図２５は、本願発明の第３実施形態に係る容器の平面図である。
【発明を実施するための形態】
【００１９】
図１においては、本願発明に係る容器１０は、物質、例えば飲料を保持できる缶として示されている。容器１０は、例えば、アルミニウム、スチールもしくはそれらの合金から作られており、実質的に円柱形で、外側面４０、蓋として機能する上面１１、図示されてはいないが公知のあらゆるタイプの底面と、を有する。
【００２０】
上面１１は、実質的に円形の形をしており（図２および３）中心軸Ｙに対して同心円状である（図１から１５）。さらに、上面１１は、環状の周縁部１２を有し、周縁部１２は確定半径Ａを有する中心ゾーン３６を区画している。
【００２１】
溝３８は、図１から１５に図示されている実施形態で上面１１上に形成されており、周縁部１２に対して同心円状の閉じられた線により区画されている。
【００２２】
中心ゾーン３６の上には、脆弱線１３（図２）が公知の手段で形成され、それ自体で閉じており、部分的に狭くなるもしくは様々な断面図を有し、舌状の密封要素もしくはストッパー１４を形作っている。該ストッパー１４は、対応する開口部１５を密封し、この開口部１５を通って、物質は容器１０から取り除くことができる。特に、容器１０が閉じた状態の時（図２）、ストッパー１４は、開口部１５を完全且つ密閉に閉じており、それに対して、開いている状態の時、ストッパー１４は持ち上げられ、さらに少なくとも一部は、開口部１５から切り離されても（図３）、容器１０の残りの部分に固定されたままである。
【００２３】
ストッパー１４は、以下でさらに詳細に説明されるが、レバー１６と固定されており、閉じた状態（図２）では、少なくとも一部がストッパー１４と被っている。
【００２４】
レバー１６は、その端部もしくはリング３２を掴むことにより手動で動かされ、それによりストッパー１４を上面１１の残りの部分から脆弱線１３に沿って切り離す。
【００２５】
リング３２は、上面１１の内側に向かって面しており、すなわち、中心ゾーン３６に面しており、これによりレバー１６を掴み、そして動かすのをより簡単にしている。有利には、閉じた状態では、リング３２は、中心ゾーン３６の中心を通過する中心軸Ｙに対応している。
【００２６】
レバー１６は、リング３２の反対にある端部３４(図１)を中心に回動し、すなわち、周縁部１２に実質的に対応して配置される。特に、閉じた状態（図２）では、端部３４は、脆弱線１３の外側にあり、さらに凸部３５に直接接しつつ、上面１１に対面しながら、上面１１の上に形成されている。凸部３５は、実質的にＵ字状であり、すなわち、対向しつつさらに平行な二つの長方形が、周縁部１２の近くでカーブ部位により繋がっている。
【００２７】
凸部３５のカーブした部分は、少なくとも一部が周縁部１２および脆弱線１３の間にあり、さらに少なくとも一部がストッパー１４とそれに対応する開口部１５の両方と、レバー１６とを囲んでいる。特に、レバー１６の端部３４は、凸部３５のカーブした部分の上に配置されている（図１）。
【００２８】
さらに、レバー１６は、端部３２および３４の間にある中間ゾーン３９を有し（図１）、中間ゾーン３９に、柔軟な舌状体１７が装着されており、舌状体１７は、ストッパー１４に接続している。
【００２９】
中間ゾーン３９は、有利には、端部３４により近く、端部３４は支点として機能し、そして特に、舌状体１７の端部１８に、例えば溶接などの手段により装着されている。
【００３０】
閉じた状態において（図２）、舌状体１７の端部１８は周縁部１２に実質的に近接している。
【００３１】
舌状体１７は、通常は、上面１１の上に位置し、レバー１６とストッパー１４の間に置かれている（図１）。特に、舌１７は、ストッパー１４の全てを覆うように延長部分を有しており、リベット２０の手段により装着している(図１)。
【００３２】
さらに、舌状体１７は、端部１９を有し(図２)、これは、例えばリベット３７などの手段により上面１１に固定された中心ゾーン３６に対応して、通常、置かれる。
【００３３】
この場合、舌状体１７には、それぞれ２１、２２、２３、２４および２５で示される５つの所定屈曲線も提供され、それらに関連する部分である２６，２７，２８、２９、３０および３１を区画する。
【００３４】
第一屈曲線２１は、部分２６を区画し（図９）、部分２６は、舌状体１７の端部１８に実質的に対応し、レバー１６の接続要素として機能する。このようにすることで、舌状体１７がストッパー１４に固く装着されているため、ストッパー１４およびレバー１６での接続が達成される。
【００３５】
第二屈曲線２２は部分２７を区画し（図８および９）、これは、部分２６に隣接し、リベット２０という手段によりストッパー１４に装着している。
【００３６】
第三屈曲線２３は、部分２８を区画し（図１１）、これは、部分２７に隣接して配置されつつ、第四屈曲線２４は、部分２８に隣接して配置される部分２９を区画している（図１２）。
【００３７】
最後に、第五屈曲線２５は、部分３１を区画し（図１３および１４）、これは、舌状体１７の端部１９に対応し、さらに部分２６の反対側に位置している。特に、部分３１は、上面１１にリベット３７という手段により装着されている。
【００３８】
レバー１６をその端部３４を中心に回転させることにより、端部３２は、上面１１から離され、ストッパー１４は上面１１から部分的に切り離され、このようにして開口部１５は開きはじめる。これは、所定の引き上げ力が負荷された時の脆弱線１３により起こる。
【００３９】
レバー１６および舌状体１７と、舌状体１７およびストッパー１４の間の接続領域が近距離でありながら異なっているため、ストッパー１４に作用するレバー１６は、高い角運動量を付与できる非常に好ましいアームを形作っている。
【００４０】
そして、レバー１６の力は、脆弱線１３に近接する負荷点に負荷され、さらに容器１０の外側に向かう回転と共に負荷される。さらには、レバー１６が作用する脆弱線１３の抵抗部分は、残りの部分の脆弱線１３よりも著しく小さい。したがって、以上のことから、脆弱線１３に沿ってストッパー１４を引き上げるのに必要な力は、現在公知の衛生ストッパーを伴う容器と比較して非常に小さいことは明確である。
【００４１】
レバー１６の端部３４をさらに上に切り離すことにより、ストッパー１４を完全に上面１１から切り離し、さらに柔軟な舌状体１７は、曲がった状態で位置する。
【００４２】
曲がった状態において（図１５）、柔軟な舌状体１７は、上面１１の上に位置し、さらに開口部１５の横に位置しながら、その部分２６、２７、２８、２９、３０、および３１は、実質的に上面１１と平行であり、互いに重なり合っている。曲がった状態の時、部分２６は、レバー１６のすぐ下である上の位置にあり、部分３１は、その他の全ての部分２６、２７、２８、２９、および３０の下の位置にあって、上面１１と接している。結果的に、舌状体１７が、曲がった状態では、部分２７、２８、２９、および３０は、部分２６および部分３１の間に位置しており、これは、図１４および１５に明確に図示されている。
【００４３】
レバー１６の一端と協働しているリベット２０は、柔軟な舌状体１７を曲がった状態に選択的に維持する。
【００４４】
ストッパー１４も、舌状体１７に固定されていることから、舌状体１７の中間の屈曲線２２、２３、および２４に対応するそれぞれの上に位置する関連部分において曲げることができる。
【００４５】
上述のように、曲がった状態の時、部分２６、２７、２８、２９、３０および３１は、蛇腹状に互いに重なり合っており、さらにレバー１６は、それらの上に位置している。このようにすることで、レバー１６は、容器１０から著しく飛び出すことがなく、また、容器１０から物質を取り出したい人にとって、レバー１６と、舌状体１７と、ストッパー１４と、が邪魔になることもない。
【００４６】
上述の容器１０は、以下のように使用される。
【００４７】
まず、容器１０は、通常は閉じた状態である（図２および４）。これを開けるには、使用者は、レバー１６のリング３２を掴まなければならず、さらに、その端部３４を中心に図５、６および７の矢印Ｒで図示する方向に回転する。これにより、ストッパー１４の一部分を残りの上面１１から切り離し、結果的に、部分２７に対応して開口部１５の一部分を形成し、ストッパー１４および舌状体１７を屈曲線２２に沿って曲げる。
【００４８】
ストッパー１４は、上に持ち上げられるため、容器１０内に入り、容器１０内の物質と接触することはない。これにより、容器１０に物質が入れられた時の物質の最適な衛生状態を保証する。
【００４９】
続いて、使用者は、接線方向の力によりレバー１６を、図８から１３に図示する矢印Ｆの方向に引き、屈曲線２２に対応して、ストッパー１４および舌状体１７を９０度以上にさらに傾ける（図７から１０）。その後、ストッパー１４および舌状体１７を屈曲線２３および２４に沿って曲げて、さらに傾ける（図１１および１２）。このようにすることで、ストッパー１４は、舌状体１７の部分２７および２８に固定されたまま、そして上面１１に装着され、開口部１５を開放し、容器１０は開いた状態となる（図３、１２および１３）。
【００５０】
この時点で、舌状体１７の部分２６，２７、２８、２９、３０および３１と、ストッパー１４と、レバー１６とは、図１４の矢印Ｇの方向に示される方向への動きに伴い、重なり合うようになる。最後に、図１５の矢印Ｐに図示するように、舌状体１７の部分２６、２７、２８、２９、３０および３１と、ストッパー１４と、関連するレバー１６とは、蛇腹状に閉じられる。
【００５１】
屈曲線２１、２２、２３、２４および２５により、レバー１６と、ストッパー１４と、柔軟な舌状体１７は、閉じた状態に簡単に数回繰り返して位置することができるため、使用者は、所望のように一時的にストッパー１４で容器１０を閉じることが出来る。
【００５２】
変形例によると、図１６および１７に示す本願発明に係る容器１１０は、同じ部分には同じ番号が付してあるが、上面１１に形成されている溝１３８を有し、これは、閉じられている溝３８とは違い、開いている。すなわち、ストッパー１４および開口部１５に対応し中断されている。このようにすることで、容器１１０内の物質が出た後、溝１３８内で沈滞して不衛生な状態になるのを防いでいる。
【００５３】
その他の変形例によると、図示されていないが、レバー１６は、リング３２に対して２倍の大きさのグリッピングリングが提供されており、このようにすることで、通常のように一つの指ではなく、二つの指でレバー１６をより動かし易くしている。
【００５４】
図１８から２４に図示される第２実施形態によると、容器２１０は、中心ゾーン２３６を区画する環状の周縁部２１２が付いている上面２１１を有する。
【００５５】
溝２３８は、溝３８と類似しており、上面２１１の上に形成されている。
【００５６】
脆弱線２１３は、中心ゾーン２３８の上に形成されており、これは、それ自体で閉じておらず、さらに舌の形状の密封要素もしくはストッパー２１４を区画し、開いている状態においても（図２２および２３）、中心ゾーン２３６の残りの部分と一体になっている。
【００５７】
特に、ストッパー２１４（図２４）は、実質的に円形の第一部分２１４ａと、該第一部分とつながっている実質的に長方形の第二部分２１４ｂとを有する。ストッパー２１４は、通常、対応する開口部２１５を閉じ、レバー２１６に固定されており、これは閉じた状態（図１８および１９）では少なくとも部分的に重なり合っている。
【００５８】
レバー２１６は、その端部もしくはリング２３２を掴むことにより手動で動かされ、ストッパー２１４は、脆弱線２１３に沿って、上面２１１の中心ゾーン２３６の残りの部分から切り離される。
【００５９】
レバー２１６は、リング２３２の反対にある端部２３４（図１８）で回動させ、すなわち周縁部２１２に実質的に対応して配置する。
【００６０】
さらには、レバー２１６は、中間ゾーン２３９を有し（図１８）、レバー２１６は、柔軟な舌状体２５１が形成されている端部２３４と端部２３２の間にあり、この舌状体２５１は、リベット２５０という手段によりストッパー２１４に接続している。
【００６１】
中間ゾーン２３９は、有利には端部２３４により近く、端部２３４は、支点として機能する。
【００６２】
ストッパー２１４は、以下のようにして取り除かれる。まず、レバー２１６のリング２３２は、容器２１０の外側に手動で持ち上げられ、その第一端部２１４で回動させることで、レバー２１６の中間ゾーン２３９が、脆弱線２１３に沿って、中心ゾーン２３６の残りの部分からストッパー２１４を、部分的に切り離す（図２０および２１）。そして、リング２３２を後ろに引っ張ることにより、ストッパー２１４を持ち上げ、開口部２１５が完全に開くまで（図２２よび２３）、脆弱線２１３に沿って引き続き切り離される。
【００６３】
図２５は、本願発明に係る第三実施形態である容器３１０が図示されており、容器３１０は、中心ゾーン３３６を区画する環状の周縁部３１２が提供された上面３１１を有する。
【００６４】
溝３３８は、溝３８および２３８と類似しており、上面３１１の上に形成されている。
【００６５】
脆弱線３１３は、中心ゾーン３３６の上に形成されており、脆弱線３１３は、それ自体で閉じておらず（脆弱線２１３と同様に）、舌の形状で密封要素もしくはストッパー３１４を区画し、開いている状態においても、中心部分３３６の残りの部分と一体になっている。
【００６６】
特に、ストッパー３１４は、実質的に長方形をしており、通常は、対応する開口部を閉じ、さらにレバー３１６に固定されており、これは閉じた状態では少なくとも部分的に重なり合っている。
【００６７】
このレバー３１６は、その端部もしくはリング３３２を掴むことにより手動で動かされ、脆弱線３１３に沿って、上面３１１の中心ゾーン３３６の残りの部分からストッパー３１４を切り離す。
【００６８】
レバー３１６は、リング３３２の反対側の端部３３４で回動し、すなわち中心ゾーン３３６の中心に実質的に対応して配置される。
【００６９】
さらには、レバー３１６は、中間ゾーン３３９を有し、この中間ゾーン３３９は、端部３３４と端部３３２の間にあり、柔軟な舌状体３５１が形成され、この舌状体３５１は、リベット３５０という手段によりストッパー３１４に接続している。
【００７０】
ストッパー３１４は、以下のようにして取り除かれる。まず、レバー３１６のリング３３２を手動で持ち上げ、第一端部３１４で回動させながら上面３１１の中心に向かって曲げて、レバー３１６の中間ゾーン３３９が、ストッパー３１４を脆弱線３１３に沿って中心ゾーン３３６の残りの部分から切り離す。そして、リング３３２をさらに同じ側に後ろに引っ張り、ストッパー３１４を持ち上げ、開口部３１５が完全に開くまで脆弱線３１３に沿って切り離される。
【００７１】
本願発明の範囲を超えずに、上述の容器１０、１１０、２１０および３１０に変形を加えたり、追加の部分を加えられることは明白である。
【００７２】
また、本願発明は、実施例に言及しながら説明したが、当然、通常の知識を有する当業者は、本願特許請求の範囲に記載の特徴を有する物質のための容器のその他多くの同等物、したがって本願特許請求の範囲で定義される保護範囲に入る全ての物を達成できることも明白である。
【図１】
0005430010.tif 000002
【図２】
0005430010.tif 000003
【図３】
0005430010.tif 000004
【図４】
0005430010.tif 000005
【図５】
0005430010.tif 000006
【図６】
0005430010.tif 000007
【図７】
0005430010.tif 000008
【図８】
0005430010.tif 000009
【図９】
0005430010.tif 000010
【図１０】
0005430010.tif 000011
【図１１】
0005430010.tif 000012
【図１２】
0005430010.tif 000013
【図１３】
0005430010.tif 000014
【図１４】
0005430010.tif 000015
【図１５】
0005430010.tif 000016
【図１６】
0005430010.tif 000017
【図１７】
0005430010.tif 000018
【図１８】
0005430010.tif 000019
【図１９】
0005430010.tif 000020
【図２０】
0005430010.tif 000021
【図２１】
0005430010.tif 000022
【図２２】
0005430010.tif 000023
【図２３】
0005430010.tif 000024
【図２４】
0005430010.tif 000025
【図２５】
0005430010.tif 000026